(57)【要約】【課題】導光部材をフレームに容易に組み付けることができる構造において、照明装置などを小型化することを目的とする。【解決手段】本発明の照明装置は、フレーム１１が、導光収容部１６に収容された導光部材３０の出射面３２側の一部を覆う抜止部２３と、導光部材３０を挟んだ抜止部２３の反対側に導光部材３０と当接する当接部２５および導光部材３０との間に隙間を有して当接しない非当接部２６と、を有する。抜止部２３は、フレーム１１の長手方向に対して直交する方向から見たときに、当接部２５と重なり合わず非当接部２６と重なり合って配置される。【選択図】図６
2017050680.tif 000002
【特許請求の範囲】
【請求項１】
被照明体を線状に照明する照明装置であって、
光源部と、
前記光源部が長手方向の一方側に配置され、前記光源部からの光を長手方向に伝搬させながら前記被照明体に対して線状に出射する棒状の撓み可能な導光部材と、
前記導光部材が収容される導光収容部を有するフレームと、を備え、
前記フレームは、
前記導光収容部に収容された前記導光部材の出射面側の一部を覆う抜止部と、
前記導光部材を挟んだ前記抜止部の反対側に前記導光部材と当接する当接部および前記導光部材との間に隙間を有して当接しない非当接部と、を有し、
前記抜止部は、前記フレームの長手方向に対して直交する方向から見たときに、前記当接部と重なり合わず前記非当接部と重なり合って配置されることを特徴とする照明装置。
【請求項２】
前記当接部は、前記フレームの長手方向に離間して少なくとも２つ配置され、
前記非当接部は、前記２つの当接部の間に亘って配置されることを特徴とする請求項１に記載の照明装置。
【請求項３】
前記フレームの長手方向に沿った方向を長さ方向とすると、
前記非当接部の長さは、前記抜止部の長さよりも長いことを特徴とする請求項１または２に記載の照明装置。
【請求項４】
前記抜止部は、前記フレームの長手方向に離間して少なくとも２つ配置され、
前記当接部は、前記２つの抜止部の間に複数、配置されることを特徴とする請求項１ないし３の何れか１項に記載の照明装置。
【請求項５】
請求項１ないし４の何れか１項に記載の照明装置と、
前記被照明体からの光を結像する集光体と、
前記集光体によって結像された光を受光して電気信号に変換するイメージセンサと、を有するイメージセンサユニットであって、
前記フレームは、
前記導光収容部に隣接して、前記集光体を収容する集光体収容部と、
前記導光収容部と前記集光体収容部との間に、前記集光体を前記集光体収容部に接着するための接着剤が充填される充填溝と、を有し、
前記抜止部は、前記フレームの長手方向に対して直交する方向から見たときに、前記充填溝と重なり合わない位置に配置されることを特徴とするイメージセンサユニット。
【請求項６】
前記充填溝と前記非当接部との間に前記当接部が配置されることを特徴とする請求項５に記載のイメージセンサユニット。
【請求項７】
請求項５または６に記載のイメージセンサユニットと、
前記イメージセンサユニットと前記被照明体とを相対的に移動させる移動部と、
を有することを特徴とする画像読取装置。
【請求項８】
請求項５または６に記載のイメージセンサユニットと、
前記イメージセンサユニットと前記被照明体とを相対的に移動させる移動部と、
前記イメージセンサユニットにより読取られた画像を記録媒体に形成する画像形成部と、を有することを特徴とする画像形成装置。
【発明の詳細な説明】
【技術分野】
【０００１】
本発明は、照明装置、イメージセンサユニット、画像読取装置および画像形成装置に関する。
【背景技術】
【０００２】
フレーム内に配置された導光部材から線状に光を出射して被照明体を照明することで、被照明体からの光をイメージセンサに結像させて被照明体の画像を読取るイメージセンサユニットが知られている。特許文献１には、フレームに設けた弾性保持部によりライン照明デバイスを固定するイメージセンサが開示されている。
【先行技術文献】
【特許文献】
【０００３】
【特許文献１】国際公開第２００６／１３７２６３号
【発明の概要】
【発明が解決しようとする課題】
【０００４】
しかしながら、特許文献１のイメージセンサでは、弾性保持部を弾性変形させるためにフレームを大きく形成する必要があった。フレームを大きくすると、照明装置が大型化してしまうという問題がある。
【０００５】
本発明は、上述したような問題点に鑑みてなされたものであり、導光部材をフレームに容易に組み付けることができる構造において、照明装置などを小型化することを目的とする。
【課題を解決するための手段】
【０００６】
本発明の照明装置は、被照明体を線状に照明する照明装置であって、光源部と、前記光源部が長手方向の一方側に配置され、前記光源部からの光を長手方向に伝搬させながら前記被照明体に対して線状に出射する棒状の撓み可能な導光部材と、前記導光部材が収容される導光収容部を有するフレームと、を備え、前記フレームは、前記導光収容部に収容された前記導光部材の出射面側の一部を覆う抜止部と、前記導光部材を挟んだ前記抜止部の反対側に前記導光部材と当接する当接部および前記導光部材との間に隙間を有して当接しない非当接部と、を有し、前記抜止部は、前記フレームの長手方向に対して直交する方向から見たときに、前記当接部と重なり合わず前記非当接部と重なり合って配置されることを特徴とする。
本発明のイメージセンサユニットは、上述した照明装置と、前記被照明体からの光を結像する集光体と、前記集光体によって結像された光を受光して電気信号に変換するイメージセンサと、を有するイメージセンサユニットであって、前記フレームは、前記導光収容部に隣接して前記集光体を収容する集光体収容部と、前記導光収容部と前記集光体収容部との間に、前記集光体を前記集光体収容部に接着するための接着剤が充填される充填溝と、を有し、前記抜止部は、前記フレームの長手方向に対して直交する方向から見たときに、前記充填溝と重なり合わない位置に配置されることを特徴とする。
本発明の画像読取装置は、上述したイメージセンサユニットと、前記イメージセンサユニットと前記被照明体とを相対的に移動させる移動部と、を有することを特徴とする。
本発明の画像形成装置は、上述したイメージセンサユニットと、前記イメージセンサユニットと前記被照明体とを相対的に移動させる移動部と、前記イメージセンサユニットにより読取られた画像を記録媒体に形成する画像形成部と、を有することを特徴とする。
【発明の効果】
【０００７】
本発明によれば、導光部材をフレームに容易に組み付けることができる。また、照明装置などを小型化することができる。
【図面の簡単な説明】
【０００８】
【図１】図１は、イメージセンサユニットの断面図である。
【図２】図２は、イメージセンサユニットを備えたＭＦＰの外観を示す斜視図である。
【図３】図３は、ＭＦＰの画像形成部の構造を示す概略図である。
【図４】図４は、イメージセンサユニットの分解斜視図である。
【図５】図５は、イメージセンサユニットの一部を示す分解斜視図である。
【図６】図６は、フレームの一部を示す斜視図である。
【図７】図７は、イメージセンサユニットの断面図である。
【図８】図８は、イメージセンサユニットの断面図である。
【図９】図９は、イメージセンサユニットの断面図である。
【図１０】図１０は、フラットベッド方式のスキャナの構成の一例を示す斜視図である。
【図１１】図１１は、シートフィード方式のスキャナの構成の一例を示す断面図である。
【発明を実施するための形態】
【０００９】
以下、本発明を適用できる実施形態について、図面を参照して詳細に説明する。
（第１の実施形態）
本実施形態は、イメージセンサユニット１０と、イメージセンサユニット１０が適用される画像読取装置および画像形成装置である。画像読取装置および画像形成装置では、イメージセンサユニット１０が被照明体としての原稿Ｐに線状の光を出射し、反射光を電気信号に変換することで画像を読取る。
以下の説明においては、三次元の各方向を、Ｘ，Ｙ，Ｚの各矢印で示す。Ｘ方向が主走査方向であり、Ｙ方向が主走査方向に直交する副走査方向であり、Ｚ方向が垂直方向（上下方向）である。
【００１０】
まず、本実施形態に係る画像読取装置または画像形成装置の一例である多機能プリンタ（ＭＦＰ；Ｍｕｌｔｉ  Ｆｕｎｃｔｉｏｎ  Ｐｒｉｎｔｅｒ）の構造について図２を参照して説明する。図２は、ＭＦＰ１００の外観を示す斜視図である。図２に示すように、ＭＦＰ１００は、原稿Ｐからの反射光を読取る画像読取手段としての画像読取部１０２と、記録媒体としてのシート１０１（記録紙）に原稿Ｐの画像を形成（印刷）する画像形成手段としての画像形成部１１３とを備えている。
【００１１】
画像読取部１０２はいわゆるイメージスキャナーの機能を有するものであり、例えば以下のように構成される。画像読取部１０２は、筐体１０３と、原稿載置部としてのガラス製の透明板からなるプラテンガラス１０４と、原稿Ｐを覆うことができるように筐体１０３に対して開閉自在に設けられるプラテンカバー１０５とを備えている。
筐体１０３の内部には、照明装置を備えたイメージセンサユニット１０、保持部材１０６、スライドシャフト１０７、駆動モータ１０８、ワイヤ１０９、信号処理部１１０、回収ユニット１１１、給紙トレイ１１２などが収納されている。
【００１２】
イメージセンサユニット１０は、例えば密着型イメージセンサ（ＣＩＳ；Ｃｏｎｔａｃｔ  Ｉｍａｇｅ  Ｓｅｎｓｏｒ）ユニットである。保持部材１０６は、イメージセンサユニット１０を囲むように保持する。スライドシャフト１０７は、保持部材１０６をプラテンガラス１０４に沿って副走査方向に案内する。駆動モータ１０８は、イメージセンサユニット１０と原稿Ｐとを相対的に移動させる移動部であり、具体的には保持部材１０６に取り付けられたワイヤ１０９を動かす。回収ユニット１１１は筐体１０３に対して開閉自在に設けられ、印刷されたシート１０１を回収する。給紙トレイ１１２は、所定のサイズのシート１０１を収容する。
【００１３】
上述したように構成される画像読取部１０２では、駆動モータ１０８がスライドシャフト１０７に沿ってイメージセンサユニット１０を副走査方向に移動させる。この際、イメージセンサユニット１０はプラテンガラス１０４上に載置された原稿Ｐを光学的に読取って、電気信号に変換することで、画像の読取り動作を行う。
【００１４】
図３は画像形成部１１３の構造を示す概略図である。
画像形成部１１３はいわゆるプリンタの機能を有するものであり、例えば以下のように構成される。画像形成部１１３は筐体１０３内部に収容されており、図３に示すように、搬送ローラ１１４と、記録ヘッド１１５とを備えている。記録ヘッド１１５は、例えばシアンＣ、マゼンタＭ、イエローＹ、黒Ｋのインクを備えたインクタンク１１６（１１６ｃ，１１６ｍ，１１６ｙ，１１６ｋ）と、これらのインクタンク１１６にそれぞれ設けられた吐出ヘッド１１７（１１７ｃ，１１７ｍ，１１７ｙ，１１７ｋ）から構成される。また、画像形成部１１３は、記録ヘッドスライドシャフト１１８、記録ヘッド駆動モータ１１９、記録ヘッド１１５に取り付けられたベルト１２０を有している。
【００１５】
上述したように構成される画像形成部１１３では、給紙トレイ１１２から供給されたシート１０１は、搬送ローラ１１４によって記録位置まで搬送される。記録ヘッド１１５は、記録ヘッド駆動モータ１１９によりベルト１２０を機械的に動かすことで、記録ヘッドスライドシャフト１１８に沿って印刷方向（主走査方向）に移動しつつ電気信号を基にシート１０１に対して印刷を行う。印刷終了まで上述した動作を繰り返した後、印刷されたシート１０１は搬送ローラ１１４によって回収ユニット１１１に排出される。
なお、画像形成部１１３としてインクジェット方式による画像形成装置を説明したが、電子写真方式、熱転写方式、ドットインパクト方式などどのような方式であっても構わない。
【００１６】
次に、本実施形態のイメージセンサユニット１０の構成について図面を参照して説明する。図１は、イメージセンサユニット１０を副走査方向に切断した断面図である。図４は、イメージセンサユニット１０の分解斜視図である。図５は、イメージセンサユニット１０の一部を示す分解斜視図である。
イメージセンサユニット１０は、フレーム１１、導光部材３０、光源部４０、集光体４６、センサ基板４８、イメージセンサ５２、コネクタ５４などを備える。なお、フレーム１１、導光部材３０および光源部４０は、照明装置の一部を構成する。また、上述した構成部材のうち、フレーム１１、導光部材３０、集光体４６、センサ基板４８、イメージセンサ５２は、読取る原稿Ｐの主走査方向の寸法に応じた長さに形成される。
【００１７】
フレーム１１は、イメージセンサユニット１０の各構成部材を収容し、位置決めして支持する。フレーム１１は、外形が副走査方向の一方側の外壁部１２ａ、副走査方向の他方側の外壁部１２ｂ、主走査方向の一方側の側壁部１３ａ、主走査方向の他方側の側壁部１３ｂにより、主走査方向を長手方向とする略直方体状に形成される。
【００１８】
図１に示すように、フレーム１１は、内部に仕切壁として機能する第１壁部１４および第２壁部１５が主走査方向に沿って形成される。また、フレーム１１は、副走査方向の一方側に導光部材３０を収容する導光収容部１６が主走査方向に形成される。本実施形態の導光収容部１６は、外壁部１２ａ、底部１７および第１壁部１４により囲まれ、上側に開口する溝状である。また、フレーム１１は、副走査方向の略中央に集光体４６を収容する集光体収容部１８が主走査方向に形成される。本実施形態の集光体収容部１８は、第１壁部１４と第２壁部１５により囲まれ、上側に開口する溝状である。集光体収容部１８の下側には、集光体４６から出射された光をイメージセンサ５２に向かって通過させるための通過孔１９が主走査方向に沿って形成される。また、第２壁部１５と外壁部１２ｂとの間には肉抜溝が形成される。なお、肉抜溝を省略して、第２壁部１５と外壁部１２ｂとを一体にしてもよい。
【００１９】
また、フレーム１１は、原稿Ｐ側の反対側、すなわち下側にセンサ基板４８を収容する基板収容部２０が主走査方向に形成される。また、図５に示すように、フレーム１１は、主走査方向における一方側の端部であって、側壁部１３ａに近接した位置に、光源部４０を収容する光源収容部２１が上下に連通して形成される。更に、フレーム１１は、光源収容部２１に近接した外壁部１２ａに、導光部材３０の後述する係止突起３６を係止するための係止溝２２が形成される。
なお、フレーム１１は、例えば黒色に着色された遮光性を有する樹脂材料により形成される。フレーム１１には、例えばポリカーボネートが適用できる。
【００２０】
導光部材３０は、光源部４０からの光を原稿Ｐに対して線状に出射する。導光部材３０は、主走査方向を長手方向とする棒状に形成され、長手方向と直交する方向に撓み可能である。図５に示すように、導光部材３０は、主走査方向における一方側の端部、具体的には端面に光源部４０からの光を入射させる入射面３１が形成される。なお、図５には、理解を容易にするために導光部材３０の一部を切断して示している。
また、導光部材３０は、原稿Ｐと対面する面に、導光部材３０内に入射された光を原稿Ｐに向かって出射させる上側に凸状の円弧状の出射面３２が形成される。また、導光部材３０は、出射面３２と対向する面に、入射面３１から入射された光を出射面３２に向かって反射させたり、導光部材３０の長手方向に伝搬させたりする反射面３３が形成される。また、出射面３２および反射面３３以外の面は、それぞれ入射された光を反射させる反射面として機能する。具体的には、導光部材３０が導光収容部１６に収容されたときに、フレーム１１の外壁部１２ａに対面する面が反射面３４であり、後述する当接部２５に当接する面が反射面３５である。
【００２１】
また、導光部材３０は、主走査方向における一方側の端部にフレーム１１の係止溝２２に係止される係止突起３６が形成される。係止突起３６は、主走査方向と直交する方向、具体的には反射面３４から一体で副走査方向に突出する。
なお、導光部材３０は、透明であり、かつ撓み可能な材料により形成される。導光部材３０には、例えばアクリル系の樹脂材料が適用できる。
【００２２】
光源部４０は、導光部材３０に対して光を発する。光源部４０は、導光部材３０の入射面３１に対面して配置される。図５に示すように、光源部４０は、略矩形状に形成された支持体４１と、支持体４１から突出する複数（本実施形態では４本）のリード端子４２とを備えた、いわゆるＬＥＤパッケージが適用できる。支持体４１には、表面に発光素子としてのＬＥＤチップが実装される。本実施形態の光源部４０は、赤、緑、青の波長の光をそれぞれ発する複数のＬＥＤチップ４３ｒ、４３ｇ、４３ｂが実装される。なお、光源部４０に実装されるＬＥＤチップは可視光のみに限られず、赤外や紫外の波長を発するＬＥＤチップであってもよい。
【００２３】
集光体４６は、原稿Ｐからの光をイメージセンサ５２上に結像する。集光体４６は、主走査方向を長手方向にして形成され、例えばロッドレンズアレイが適用できる。図５に示すように、集光体４６は、複数の正立等倍結像型の結像素子としてのロッドレンズを副走査方向の両側から板部材によって挟まれた状態で結合される。なお、集光体４６は、イメージセンサ５２上に結像できればよく、ロッドレンズアレイに限られない。集光体４６には各種マイクロレンズアレイなど、公知の各種集光機能を有する光学部材が適用できる。
【００２４】
センサ基板４８は、光源部４０を発光させたり、イメージセンサ５２を駆動させたりするための図示しない駆動回路などを実装面４９上に実装する。センサ基板４８は、主走査方向を長手方向とする平板状に形成される。センサ基板４８の主走査方向における一方側には、光源部４０のリード端子４２が挿入される複数（本実施形態では４つ）の挿入孔５０が穿設される。
【００２５】
イメージセンサ５２は、集光体４６によって結像された光を受光して電気信号に変換する。イメージセンサ５２は、集光体４６の下側に配置される。図５に示すように、イメージセンサ５２は、イメージセンサユニット１０の読取りの解像度に応じた複数の受光素子（受光素子は光電変換素子ということもある）から構成されるイメージセンサＩＣ５３の所定数をセンサ基板４８の実装面４９上に主走査方向に直線状に配列して実装される。なお、イメージセンサ５２は、原稿Ｐからの光を電気信号に変換できるものであればよく、上述した構成に限られない。イメージセンサＩＣ５３には、公知の各種イメージセンサＩＣが適用できる。
コネクタ５４は、イメージセンサユニット１０と画像読取装置１００との間に亘って電力や電気信号を送受信する。コネクタ５４は、センサ基板４８の実装面４９の下面に接続される。
【００２６】
上述したように構成されるイメージセンサユニット１０の動作について説明する。
イメージセンサユニット１０は、光源部４０のＬＥＤチップ４３ｒ、４３ｇ、４３ｂをそれぞれ順次、発光させる。図１に示すように、導光部材３０は光源部４０からの光を原稿Ｐの下面に対して矢印Ｅに示すように出射する。したがって、原稿Ｐには読取ラインＳ（主走査方向）に亘って線状に光が出射される。導光部材３０から出射された光は原稿Ｐによって反射され、反射された光は集光体４６を介してイメージセンサ５２上に結像される。イメージセンサ５２は、結像された光を電気信号に変換することで、原稿Ｐの下面の画像を読取ることができる。
【００２７】
イメージセンサ５２が原稿Ｐからの光を１走査ライン分読取ることで、原稿Ｐの主走査方向における１走査ラインの読取り動作を完了する。１走査ラインの読取り動作終了後、原稿Ｐの副走査方向への相対的な移動に伴い、上述する動作と同様に次の１走査ライン分の読取り動作が行われる。このようにイメージセンサユニット１０が副走査方向に移動しながら１走査ライン分ずつ読取り動作を繰り返すことで、原稿Ｐの全面が順次走査されて画像の読取りが行われる。
【００２８】
次に、導光部材３０を導光収容部１６に容易に取り付けることができるフレーム１１の構成について図６〜図９などを参照して説明する。
図６は、上側から見たフレーム１１の一部を示す斜視図であって、図４に示すフレーム１１の領域Ｒを拡大した図に相当する。なお、図６は、導光収容部１６に導光部材３０が収容される前の状態を示している。
図７、図８、図９はそれぞれ図６に示すＩＩ−ＩＩ線、ＩＩＩ−ＩＩＩ線、ＩＶ−ＩＶ線に相当する断面図である。なお、上述した図１は、図６に示すＩ−Ｉ線に相当する断面図である。
【００２９】
フレーム１１は、外壁部１２ａの上部に主走査方向に間隔をあけて形成される複数（本実施形態では４つ）の抜止部２３を有する。抜止部２３は、収容された導光部材３０が導光収容部１６から抜け出ることを防止する。具体的に、抜止部２３は、外壁部１２ａから外壁部１２ｂ側に向かって一体で突出し、導光収容部１６に収容された導光部材３０の出射面３２側の一部を覆う。抜止部２３は、導光部材３０の出射面３２と反射面３４とが交わる角部を当接部２５側に向かって押圧する押圧面２４を有する。押圧面２４は、外壁部１２ａに向かうにしたがって下側に傾斜している。なお、後述する図８に示すように、抜止部２３の先端は、押圧面２４から押圧面２４に直交する方向であって当接部２５側に向かって距離Ｗ１だけ突出している。
【００３０】
次に、フレーム１１の第１壁部１４について説明する。第１壁部１４は主走査方向の位置で形状が異なっている。
図７に示すＩＩ−ＩＩ線の断面図は、抜止部２３から主走査方向に離れた位置で切断した図である。図７では、第１壁部１４は、外壁部１２ａ側に向かって張り出した当接部２５を有する。当接部２５は、導光収容部１６の底部１７に向かうにしたがって外壁部１２ａに近接する方向に傾斜している。当接部２５の傾斜角度は、押圧面２４の傾斜角度と略同一である。当接部２５が導光部材３０の反射面３５に当接することで、導光部材３０が所定の姿勢に位置決め支持される。ここで、押圧面２４から当接部２５までの距離をＷ２とする。このとき、上述した押圧面２４から抜止部２３の先端までの距離Ｗ１と、距離Ｗ２との比は、Ｗ１：Ｗ２＝略１：１３に設定されている。ただし、上述した距離の比は、導光部材３０の撓み易さに応じて変更することができる。
【００３１】
図８に示すＩＩＩ−ＩＩＩ線の断面図は、抜止部２３を通るように切断した断面図である。図８では、第１壁部１４は、導光収容部１６に収容された導光部材３０との間に隙間が形成され、導光部材３０の反射面３５に当接しない非当接部２６として機能する。すなわち、非当接部２６は、当接部２５に比べて外壁部１２ａ側に張り出さず、副走査方向の厚みが薄く形成されている。また、非当接部２６は、導光収容部１６側の角部が切り欠かれている。
なお、図６に示すように、非当接部２６の主走査方向の一方側および他方側には当接部２５が隣接する。
【００３２】
図９に示すＩＶ−ＩＶ線の断面図は、抜止部２３から更に主走査方向に離れた位置で切断した断面図である。図９では、導光収容部１６と集光体収容部１８とが副走査方向に連通し、第１壁部１４が欠落している。ここでは、導光収容部１６と集光体収容部１８との間に、充填溝２７が主走査方向に沿って形成される。充填溝２７は、集光体収容部１８に収容された集光体４６を接着する接着剤Ｃが充填される。
なお、図６に示すように、充填溝２７の主走査方向の一方側および他方側には当接部２５が隣接して配置される。すなわち、充填溝２７と非当接部２６とは直接、隣接せずに間に当接部２５が配置される。
【００３３】
ここで、フレーム１１を主走査方向と直交する方向（例えば図６に示す矢印Ａ方向を参照）から見たときに、抜止部２３は、当接部２５および充填溝２７とは重なり合わず、非当接部２６と重なり合って配置される。図６に示す抜止部２３は、２つの離間した当接部２５間の領域に配置され、当接部２５間に亘って形成された非当接部２６の一部に対して重なり合う。したがって、抜止部２３の主走査方向の長さをＬ１とし、非当接部２６の主走査方向の長さをＬ２とすると、Ｌ１＜Ｌ２である。更に、本実施形態では、抜止部２３の主走査方向の長さＬ１と非当接部２６の主走査方向の長さＬ２との比が、Ｌ１：Ｌ２＝略１：１０に設定されている。ただし、上述した長さの比は、導光部材３０の撓み易さに応じて変更することができる。
また、図４に示すように、フレーム１１全体で見たときに、２つの離間した抜止部２３間の領域には、１つの充填溝２７と、複数の当接部２５とが配置される。
【００３４】
次に、イメージセンサユニット１０を組み立てる場合について説明する。
まず、センサ基板４８には予め光源部４０、イメージセンサ５２、コネクタ５４および駆動回路を所定の位置に実装する。なお、光源部４０は、センサ基板４８の挿入孔５０にリード端子４２をそれぞれ挿入した状態でセンサ基板４８の下面からハンダ付けによって接続する。
次に、フレーム１１の集光体収容部１８に集光体４６を挿入し、各充填溝２７に接着剤Ｃを充填する。接着剤Ｃには、例えば紫外線硬化型が適用できる。
【００３５】
次に、図７〜図９の二点鎖線で示すように、導光部材３０をフレーム１１の導光収容部１６に向かって斜め上側から挿入する。このとき、導光部材３０はフレーム１１の抜止部２３の先端に当接する。ここで、抜止部２３が形成された外壁部１２ａは、主走査方向に亘って切れ間なく連続している。すなわち、外壁部１２ａは比較的、剛性があるために、副走査方向への外力が付加されても副走査方向に変形し難い構造である。そして、抜止部２３は外壁部１２ａに一体で形成されているために、抜止部２３に対して副走査方向への外力が付加されても、外壁部１２ａと同様、抜止部２３も副走査方向に変形し難い構造である。一方、導光部材３０は、主走査方向に対して直交する方向に撓み可能である。したがって、導光部材３０を導光収容部１６に挿入するために、導光部材３０を導光収容部１６に向かって押下すると、図６の二点鎖線で示すように導光部材３０のうち抜止部２３に接しない部位は主走査方向に沿った直線状のままであるのに対して、抜止部２３に接する部位は外壁部１２ｂ側に撓む。具体的には、導光部材３０は、少なくとも図８に示す距離Ｗ１の撓みが生じる。
【００３６】
上述したように、主走査方向に対して直交する方向から見たときに、抜止部２３は当接部２５とは重なり合わず、非当接部２６と重なり合っている。ここで、非当接部２６は当接部２５よりも副走査方向の厚みが薄く、更に非当接部２５の角部が切り欠かれていることから、導光部材３０のうち抜止部２３と接する部位は非当接部２６と接することなく、非当接部２６側に撓むことが可能である。したがって、一部が撓んだ状態の導光部材３０は、導光収容部１６に向かって挿入することができる。なお、主走査方向に対して直交する方向から見たときに、抜止部２３は充填溝２７と重なり合っていないことから、充填溝２７に充填された接着剤Ｃが導光部材３０の撓んだ部位に付着してしまうことを防止することができる。
【００３７】
導光部材３０が抜止部２３の先端を乗り越えることで、導光部材３０自身の復元力と当接部２５とによって、撓んだ部位が直線状に戻され、導光収容部１６に収容される。導光収容部１６に収容された導光部材３０は、抜止部２３の押圧面２４と、底部１７と、導光部材３０を挟んだ抜止部２３の反対側の当接部２５との３箇所によって導光収容部１６内で所定の姿勢に位置決めされる。
最後に、フレーム１１の基板収容部２０にセンサ基板４８を挿入し、熱カシメなどによって固定することで、イメージセンサユニット１０を製造することができる。
【００３８】
このように、本実施形態のイメージセンサユニット１０によれば、抜止部２３は、導光部材３０の長手方向に対して直交する方向から見たときに、当接部２５と重なり合わず非当接部２６と重なり合って配置される。したがって、導光部材３０を導光収容部１６に挿入するときに、導光部材３０のうち抜止部２３に接する部位は、非当接部２６によって撓みが許容される。そのため、一部が撓んだ導光部材３０は、非当接部２６によって干渉されることなく、導光収容部１６内に収容されるので、導光部材３０をフレーム１１に容易に組み付けることができる。一方、フレーム１１の外壁部１２ａには、抜止部２３の弾性変形させるための隙間などを形成する必要がない。したがって、外壁部１２ａに隙間を形成しない分だけ、外壁部１２ａの副走査方向の厚みを薄くでき、イメージセンサユニット１０を小型化することができる。
【００３９】
また、本実施形態では、当接部２５が導光収容部１６の長手方向に離間して少なくとも２つ配置され、非当接部２６が２つの当接部２５の間に亘って配置される。したがって、導光部材３０のうち撓んだ部位は、２つの当接部２５によって直線状に戻された状態で導光収容部１６に収容させることができる。
また、本実施形態では、抜止部２３の主走査方向の長さをＬ１とし、非当接部２６の主走査方向の長さをＬ２とすると、Ｌ１＜Ｌ２である。したがって、導光部材３０を容易に撓ませることができる。
また、本実施形態では、抜止部２３がフレーム１１の長手方向に離間して少なくとも２つ配置され、当接部２５が２つの抜止部２３の間に複数、配置される。したがって、複数の当接部２５によって導光収容部１６内に収容された導光部材３０を所定の姿勢に位置決め支持することができる。
【００４０】
また、本実施形態では、導光部材３０の長手方向に対して直交する方向から見たときに、抜止部２３が充填溝２７と重なり合わない位置に配置される。したがって、充填溝２７に充填された接着剤Ｃが導光部材３０の撓んだ部位に付着してしまうことを防止することができる。
また、本実施形態では、充填溝２７と非当接部２６との間に当接部２５が配置される。したがって、導光部材３０が充填溝２７側に移動してしまうことを当接部２５により規制されることから、充填溝２７に充填された接着剤Ｃが導光部材３０に付着してしまうことを防止することができる。
【００４１】
（第２の実施形態）
次に、上述したイメージセンサユニット１０を画像読取装置としてのフラットベッド方式のスキャナ１３０に適用した構成について図１０を参照して説明する。
図１０は、フラットベッド方式のスキャナ１３０の構成の一例を示す斜視図である。
スキャナ１３０は、筺体１３１と、被照明体載置部としてのプラテンガラス１３２と、イメージセンサユニット１０と、イメージセンサユニット１０を駆動する駆動機構と、回路基板１３３と、プラテンカバー１３４とを有する。プラテンガラス１３２は、ガラスなどの透明板からなり、筺体１３１の上面に取り付けられる。プラテンカバー１３４は、プラテンガラス１３２に載置された原稿Ｐを覆うように、筺体１３１に対してヒンジ機構などを介して開閉可能に取り付けられる。イメージセンサユニット１０と、イメージセンサユニット１０を駆動するための駆動機構と、回路基板１３３とは、筺体１３１内に収容される。
【００４２】
駆動機構は、保持部材１３５と、ガイドシャフト１３６と、駆動モータ１３７と、ワイヤ１３８とを含む。保持部材１３５は、イメージセンサユニット１０を囲むように保持する。ガイドシャフト１３６は、保持部材１３５をプラテンガラス１３２に沿って読取方向（副走査方向）に移動可能にガイドする。駆動モータ１３７と保持部材１３５とはワイヤ１３８を介して連結されており、駆動モータ１３７の駆動力によってイメージセンサユニット１０を保持する保持部材１３５を副走査方向に移動させる。そして、イメージセンサユニット１０は、駆動モータ１３７の駆動力によって副走査方向に移動しながら、プラテンガラス１３２に載置された原稿Ｐを読取る。このように、イメージセンサユニット１０と原稿Ｐとを相対的に移動させながら、原稿Ｐを読取る。
【００４３】
回路基板１３３には、イメージセンサユニット１０が読取った画像に所定の画像処理を施す画像処理回路や、イメージセンサユニット１０を含むスキャナ１３０の各部を制御する制御回路や、スキャナ１３０の各部に電力を供給する電源回路などが構築される。
【００４４】
（第３の実施形態）
次に、上述したイメージセンサユニット１０を画像読取装置としてのシートフィード方式のスキャナ１４０に適用した構成について図１１を参照して説明する。
図１１は、シートフィールド方式のスキャナ１４０の構成の一例を示す断面図である。
スキャナ１４０は、筺体１４１と、イメージセンサユニット１０と、搬送ローラ１４２と、回路基板１４３とを有する。搬送ローラ１４２は、図示を省略した駆動機構によって回転し、原稿Ｐを挟んで搬送する。回路基板１４３には、イメージセンサユニット１０を含むスキャナ１４０の各部を制御する制御回路や、スキャナ１４０の各部に電力を供給する電源回路などが構築される。
【００４５】
そして、スキャナ１４０は、搬送ローラ１４２によって原稿Ｐを読取り方向（副走査方向）に搬送しつつ、イメージセンサユニット１０により原稿Ｐを読取る。すなわち、イメージセンサユニット１０と原稿Ｐとを相対的に移動させながら、原稿Ｐを読取る。なお、図１１では、原稿Ｐの片面を読取るスキャナ１４０の例を示すが、２つのイメージセンサユニット１０が原稿Ｐの搬送経路を挟んで対向するように設けられ、原稿Ｐの両面を読取る構成であってもよい。
【００４６】
以上、本発明を上述した実施形態と共に説明したが、本発明は上述した実施形態にのみ限定されるものではなく、本発明の範囲内で変更などが可能であり、上述した実施形態を適宜、組み合わせてもよい。
本実施形態では、充填溝２７を有する場合について説明したが、集光体４６、センサ基板４６、イメージセンサ５２を必要としない照明装置の場合には、充填溝２７を省略することができる。
本実施形態では、主走査方向に一直線状の導光部材３０について説明したが、この場合に限られず、端部が曲がっている導光部材であってもよい。
【符号の説明】
【００４７】
１０：イメージセンサユニット  １１：フレーム  １６：導光収容部  １８：集光体収容部  ２３：抜止部  ２５：当接部  ２６：非当接部  ２７：充填溝  ３０：導光部材  ３１：入射面  ３２：出射面  ４０：光源部  ４６：集光体  ４８：センサ基板  ５２：イメージセンサ  １００：ＭＦＰ（画像読取装置、画像形成装置）  １０２：画像読取部  １１３：画像形成部  １０８：駆動モータ
【図１】
2017050680.tif 000003
【図２】
2017050680.tif 000004
【図３】
2017050680.tif 000005
【図４】
2017050680.tif 000006
【図５】
2017050680.tif 000007
【図６】
2017050680.tif 000008
【図７】
2017050680.tif 000009
【図８】
2017050680.tif 000010
【図９】
2017050680.tif 000011
【図１０】
2017050680.tif 000012
【図１１】
2017050680.tif 000013